(57)【要約】【課題】　データ記憶システムのための互換方式を提供する。【解決手段】　カートリッジドライブファミリーと、カートリッジファミリーとが含まれ、第１のカートリッジドライブは第１の突起パターン（３２）を含み、第２のカートリッジドライブは第２の突起パターン（３２）を含む。第１のカートリッジは、第１の突起パターン（３２）を受入れて第１のカートリッジを第１のカートリッジドライブに完全に挿入する第１の窪みパターン（６２）を含む。第２のカートリッジは、第２の突起パターン（３２）を受入れて第２のカートリッジを第２のカートリッジドライブに完全に挿入する第２の窪みパターン（６２）を含む。第２の突起パターン（３２）は第１のカートリッジが第２のカートリッジドライブに完全に挿入されることを妨げ、第１の突起パターン（３２）は第２のカートリッジが第１のカートリッジドライブに完全に挿入されることを妨げ得る。【選択図】　　　　図１
2004087105.tif 000002
【特許請求の範囲】
【請求項１】
　組合せであって、
　第１のカートリッジドライブおよび第２のカートリッジドライブを含むカートリッジドライブファミリーを含み、前記第１のカートリッジドライブは、第１の突起パターンを含み、前記第２のカートリッジドライブは、前記第１の突起パターンとは異なる第２の突起パターンを含み、前記組合せはさらに、
　第１のカートリッジおよび第２のカートリッジを含むカートリッジファミリーを含み、前記第１のカートリッジは、前記第１の突起パターンを受入れて前記第１のカートリッジが前記第１のカートリッジドライブに完全に挿入されることを可能にする第１の窪みパターンを有し、前記第２のカートリッジは、前記第２の突起パターンを受入れて前記第２のカートリッジが前記第２のカートリッジドライブに完全に挿入されることを可能にする第２の窪みパターンを有する、カートリッジドライブファミリーおよびカートリッジファミリーを含む組合せ。
【請求項２】
　前記第２の突起パターンは、前記第１のカートリッジが前記第２のカートリッジドライブに完全に挿入されることを妨げる、請求項１に記載の組合せ。
【請求項３】
　前記第１の突起パターンは、前記第２のカートリッジが前記第１のカートリッジドライブに完全に挿入されることを妨げる、請求項２に記載の組合せ。
【請求項４】
　前記第２のカートリッジはまた、前記第１の突起パターンを受入れて前記第２のカートリッジが前記第１のカートリッジドライブに完全に挿入されることを可能にする、請求項１に記載の組合せ。
【請求項５】
　前記カートリッジの各々は、扉を含むカートリッジ後壁を有するカートリッジハウジングを含み、前記窪みパターンのうちの少なくとも１つは、少なくとも部分的に前記カートリッジ後壁に沿って位置付けられる、請求項１に記載の組合せ。
【請求項６】
　各カートリッジの前記カートリッジハウジングは、前記カートリッジ後壁に対して実質的に垂直なカートリッジ側壁を含み、前記窪みパターンのうちの少なくとも１つは、少なくとも部分的に前記カートリッジ側壁に沿って位置付けられる、請求項５に記載の組合せ。
【請求項７】
　各カートリッジの前記カートリッジハウジングは、前記カートリッジ後壁に対して実質的に垂直なカートリッジ側壁を含み、前記窪みパターンの各々は、少なくとも部分的に前記カートリッジ側壁に沿って位置付けられる、請求項５に記載の組合せ。
【請求項８】
　前記窪みパターンの各々は、少なくとも部分的に前記後壁に沿って位置付けられる、請求項７に記載の組合せ。
【請求項９】
　前記カートリッジは各々、ハウジングの内側を規定するカートリッジハウジングを含み、前記窪みパターンのうちの少なくとも１つは、対応するカートリッジのカートリッジの内側へのアクセスを可能にしない、請求項１に記載の組合せ。
【請求項１０】
　各カートリッジハウジングは、扉を有する後壁を含み、前記窪みパターンの各々は、少なくとも部分的に前記後壁に沿って位置付けられる、請求項９に記載の組合せ。
【請求項１１】
　各カートリッジのカートリッジハウジングは、カートリッジの内側を規定し、前記窪みパターンの各々は、対応するカートリッジのカートリッジの内側へと貫通しない、請求項
１に記載の組合せ。
【請求項１２】
　前記第１の突起パターンは、第１の突起部の長さを有する第１の突起部を含み、前記第２の突起パターンは、前記第１の突起部の長さよりも短い第２の突起部の長さを有する第２の突起部を含む、請求項１に記載の組合せ。
【請求項１３】
　前記カートリッジドライブの各々は、レシーバ壁を有するカートリッジレシーバを含み、前記突起パターンのうちの少なくとも１つは、対応するカートリッジドライブの前記レシーバ壁に固定される、請求項１に記載の組合せ。
【請求項１４】
　前記カートリッジドライブの各々は、レシーバベースを有するカートリッジレシーバを含み、前記突起パターンのうちの少なくとも１つは、対応するカートリッジドライブの前記レシーバベースに固定される、請求項１に記載の組合せ。
【請求項１５】
　第１の突起パターンを有する第１のカートリッジドライブと、前記第１の突起パターンとは異なる第２の突起パターンを有する第２のカートリッジドライブとのうちの少なくとも１つに挿入されるカートリッジであって、各突起パターンは、非互換のカートリッジが対応のカートリッジドライブに完全に挿入されることを妨げ、前記カートリッジは、
　カートリッジの内側を規定するカートリッジハウジングを含み、前記カートリッジハウジングは、扉を有するカートリッジ後壁と、少なくとも１つのカートリッジドライブの突起パターンを受入れるように位置付けられて前記カートリッジが前記少なくとも１つのカートリッジドライブに完全に挿入されることを可能にする窪みパターンとを含み、前記窪みパターンは、前記カートリッジハウジングを通しての前記カートリッジの内側へのアクセスを可能にしないように構成され、前記窪みパターンは、少なくとも部分的に前記カートリッジ後壁に沿って形成される、カートリッジ。
【請求項１６】
　前記カートリッジの前記窪みパターンは、前記カートリッジドライブの各々の前記突起パターンを受入れるように構成される、請求項１５に記載のカートリッジ。
【請求項１７】
　前記カートリッジハウジングは、複数のカートリッジ側壁を含み、前記窪みパターンは、少なくとも部分的に前記カートリッジ側壁のうちの少なくとも１つに沿って位置付けられる、請求項１５に記載のカートリッジ。
【請求項１８】
　前記窪みパターンは、少なくとも部分的に前記カートリッジ側壁のうちの少なくとも２つに沿って位置付けられる、請求項１７に記載のカートリッジ。
【請求項１９】
　挿入方向に沿って第１のカートリッジドライブと第２のカートリッジドライブとのうちの少なくとも１つの中に完全に挿入されるようにされたカートリッジであって、前記第１のカートリッジドライブは、第１の突起パターンを含み、前記第２のカートリッジドライブは、第２の突起パターンを含み、各突起パターンは、非互換のカートリッジが対応のカートリッジドライブに完全に挿入されることを妨げ、前記突起パターンは各々、実質的に前記挿入方向に沿って測定される異なる突起部の長さを有し、前記カートリッジは、
　前記カートリッジが前記カートリッジドライブのうちの少なくとも１つに完全に挿入されるときに前記少なくとも１つのカートリッジドライブの突起パターンを受入れる窪みパターンを含むカートリッジハウジングを含み、前記窪みパターンは、前記挿入方向に沿った窪みの長さを有し、前記窪みの長さは、前記突起パターンのうちの少なくとも１つの突起部の長さと少なくとも同じくらいの長さであり、前記窪みパターンは、前記カートリッジハウジングを貫通しないように構成される、カートリッジ。
【請求項２０】
　前記カートリッジの前記窪みパターンは、前記カートリッジドライブの各々の前記突起
パターンを受入れるように構成される、請求項１９に記載のカートリッジ。
【請求項２１】
　前記カートリッジハウジングは、複数のカートリッジ側壁を含み、前記窪みパターンは、少なくとも部分的に前記カートリッジ側壁のうちの少なくとも１つに沿って位置付けられる、請求項１９に記載のカートリッジ。
【請求項２２】
　前記窪みパターンは、少なくとも部分的に前記カートリッジ側壁のうちの少なくとも２つに沿って位置付けられる、請求項２１に記載のカートリッジ。
【請求項２３】
　窪みパターンの少なくとも一部を含むカートリッジ後壁を含んだカートリッジハウジングを有する互換性のあるカートリッジを受入れるカートリッジドライブであって、前記カートリッジハウジングは、カートリッジの内側を規定し、前記カートリッジドライブは、
　前記互換性のあるカートリッジおよび非互換のカートリッジを少なくとも部分的に交互に受入れるカートリッジレシーバと、
　前記非互換のカートリッジが前記カートリッジレシーバに完全に挿入されることを妨げる、立てられた突起パターンとを含み、前記突起パターンは、前記突起パターンにより前記互換性のあるカートリッジが前記カートリッジレシーバに完全に挿入されることを妨げられないように前記窪みパターンとインタフェースをとる、カートリッジドライブ。
【請求項２４】
　前記カートリッジレシーバは、カートリッジベースを含み、前記突起パターンは、少なくとも部分的に前記レシーバベースから飛出す、請求項２３に記載のカートリッジドライブ。
【請求項２５】
　前記カートリッジレシーバは、レシーバ壁を含み、前記突起パターンは、少なくとも部分的に前記レシーバ壁から飛出す、請求項２３に記載のカートリッジドライブ。
【請求項２６】
　前記カートリッジレシーバは、レシーバ壁を含み、前記突起パターンは、突起部の長さおよび突起部の幅を有する突起部を含み、前記突起部の長さは、前記レシーバ壁と実質的に垂直に位置付けられ、前記突起部の幅は、前記レシーバ壁に対して実質的に平行であり、前記突起部の長さは、前記突起部の幅よりも大きい、請求項２３に記載のカートリッジドライブ。
【請求項２７】
　前記カートリッジレシーバは、レシーバ壁を含み、前記突起パターンは、突起部の長さおよび突起部の幅を有する突起部を含み、前記突起部の長さは、前記レシーバ壁に対して実質的に平行に位置付けられ、前記突起部の幅は、前記レシーバ壁に対して実質的に垂直であり、前記突起部の長さは、前記突起部の幅よりも大きい、請求項２３に記載のカートリッジドライブ。
【請求項２８】
　前記突起パターンは、厳密に１つの突起部を含む、請求項２３に記載のカートリッジドライブ。
【請求項２９】
　前記突起パターンは、前記カートリッジが前記カートリッジレシーバに完全に挿入されるとき、前記カートリッジの内側へと延びない、請求項２３に記載のカートリッジドライブ。
【請求項３０】
　非互換のカートリッジがカートリッジドライブに挿入されることを妨げるための方法であって、前記方法は、
　第１の突起パターンを有する第１のカートリッジドライブと、前記第１の突起パターンとは異なる第２の突起パターンを有する第２のカートリッジドライブとを提供するステップを含み、各突起パターンは、非互換のカートリッジが対応のカートリッジドライブに完
全に挿入されることを妨げ、前記方法はさらに、
　カートリッジの内側を規定するカートリッジハウジングを含む第１のカートリッジを提供するステップを含み、前記カートリッジハウジングは、扉を有するカートリッジ後壁と、少なくとも部分的に前記カートリッジ後壁に沿って位置付けられる窪みパターンとを含み、前記窪みパターンは、前記カートリッジドライブのうちの少なくとも１つの突起パターンを受入れて前記カートリッジが前記カートリッジドライブのうちの少なくとも１つに完全に挿入されることを可能にするように位置付けられ、前記窪みパターンは、前記カートリッジハウジングを通しての前記カートリッジの内側へのアクセスを可能にしないように構成される、非互換のカートリッジがカートリッジドライブに挿入されることを妨げるための方法。
【請求項３１】
　カートリッジの内側を規定するカートリッジハウジングを含む第２のカートリッジを提供するステップをさらに含み、前記カートリッジハウジングは、扉を有するカートリッジ後壁と、少なくとも部分的に前記カートリッジ後壁に沿って位置付けられる窪みパターンとを含み、前記窪みパターンは、前記第２のカートリッジドライブの突起パターンを受入れて前記カートリッジが前記第２のカートリッジドライブに完全に挿入されることを可能にするように位置付けられ、前記窪みパターンは、前記カートリッジハウジングを通しての前記第２のカートリッジの前記カートリッジの内側へのアクセスを可能にしないように構成される、請求項３０に記載の方法。
【請求項３２】
　第１のカートリッジを提供する前記ステップは、前記第１のカートリッジが前記第１のカートリッジドライブの前記突起パターンを受入れるように前記窪みパターンを提供するステップを含む、請求項３１に記載の方法。
【請求項３３】
　前記第１のカートリッジの前記窪みパターンは、前記第２のカートリッジドライブの前記突起パターンを受入れない、請求項３２に記載の方法。
【請求項３４】
　前記第２のカートリッジの前記窪みパターンは、前記第１のカートリッジドライブの前記突起パターンを受入れない、請求項３３に記載の方法。
【発明の詳細な説明】
【技術分野】
【０００１】
　この発明は、一般に、データの記憶に関し、より具体的には、記憶媒体を含むテープカートリッジおよびデータ記憶システムに関する。
【背景技術】
【０００２】
　データ記憶システムは、カートリッジドライブおよびカートリッジを用いて、後に取出され得るデジタルの形のデータを磁気的に記憶し得る。ある種類のデジタルデータ記憶システムでは、カートリッジドライブは、ドライブハウジング、カートリッジレシーバ、巻取りリール、巻取りリールに固定されるドライブリーダ、およびバックリングメカニズムを含む。カートリッジは、磁気記憶テープに固定されるカートリッジリーダを有するカートリッジリールを含む。カートリッジは、カートリッジレシーバに挿入される。カートリッジがカートリッジレシーバに挿入されると、バックリングメカニズムは、カートリッジリーダをドライブリーダに留める。
【０００３】
　しかしながら、現在、より新しいカートリッジと比較的より古いカートリッジドライブとの間の非互換性に関して、問題が生じている。たとえば、より新しいカートリッジは、特定のより古いカートリッジドライブと互換性がない場合がある。なぜならば、より新しいカートリッジ内のカートリッジリーダは、より古いカートリッジドライブの巻取りリーダとうまく噛み合うことができない場合があるためであり、このことは、カートリッジに損傷をもたらすおそれがある。加えて、より古いカートリッジドライブは、より新しいカートリッジと互換性のないブレーキシステムを有する場合がある。ブレーキシステムの違いによって、カートリッジが破壊的に詰込まれることとなり、結果として、カートリッジおよび／またはカートリッジドライブに対して損傷が生じることになり得る。
【０００４】
　さらに、一例として、より新しいデータ記憶システムにおいては、カートリッジドライブは、より新しいカートリッジの記憶テープ上でより多くの線状トラックおよびビット密度を記憶および処理できる、改良されたデータ処理電子部品および読出／書込ヘッド構造を用い得る。より多くの線状トラックおよびビット密度を用いるカートリッジが、改良されたヘッド構造およびデータ処理電子部品を組込んでいないより古いカートリッジドライブとともに用いられると、以前にカートリッジに記憶されたデータは、上書きされ、消去されるおそれがある。結果として、これらのより多くの線状トラックおよびビット密度とともに記録されたより新しいカートリッジは、改良された読出／書込ヘッド構造およびデータ処理電子部品を含まないより古いカートリッジデバイスとの下位互換性を有し得ない。しかし、より古いカートリッジは、将来のカートリッジドライブとともに用いられるために互換性を有する必要がある。なぜならば、より古いカートリッジに記憶されたアーカイバルデータは、より古いカートリッジドライブがより新しいモデルに取替えられたずっと後で必要とされ得るためである。
【０００５】
　加えて、更新および改良されたバージョンのカートリッジおよびカートリッジドライブが産業界において急速に進歩していることを考慮すると、将来、非互換性の問題が生じる可能性は、比較的高い。たとえば、カートリッジドライブおよびカートリッジのメーカが、下位互換性に常に注意するわけではない場合もある。現在、カートリッジドライブおよびそれらの構成要素の多くのメーカは、カートリッジのために標準的な形状因子(form factor)を用いている。この標準的な形状因子は、産業界に広く行き渡っている。結果とし
て、１つの世代のカートリッジの構成を修正してより古いカートリッジをより新しいカー
トリッジと区別することは、標準的な形状因子を破ることなしには、困難である。したがって、現在および将来の互換性の問題を多少とも解決する試みにおいて、さまざまな課題が示されている。
【０００６】
　したがって、より古いカートリッジと同じ形状因子を有するが、非互換の、より古いカートリッジドライブに挿入することのできない、またはそれらとともに用いることのできないカートリッジを用いるデータ記憶システムのための互換方式が必要とされている。同時に、古いカートリッジドライブ内で新しいカートリッジが用いられることを防ぐためにいかなる修正がなされたとしても、新しいカートリッジドライブ内でより古いカートリッジが用いられることを防ぐことはできない。したがって、さまざまな世代のカートリッジとの非互換性を検出し、かつカートリッジドライブの損傷および／またはデータ損失の可能性を抑制するカートリッジドライブを開発する効率的かつ費用対効果の大きいやり方を提供することがさらに必要とされている。
【発明の開示】
【課題を解決するための手段】
【０００７】
　この発明は、第１のカートリッジドライブおよび第２のカートリッジドライブを含むカートリッジドライブファミリーと、第１のカートリッジおよび第２のカートリッジを含むカートリッジファミリーとを含む組合せに関する。第１のカートリッジドライブは、第１の突起パターンを含み、第２のカートリッジドライブは、第１の突起パターンとは異なる第２の突起パターンを含む。第１のカートリッジは、第１の突起パターンを受け入れて第１のカートリッジが第１のカートリッジドライブに完全に挿入されることを可能にする第１の窪みパターンを含む。第２のカートリッジは、第２の突起パターンを受け入れて第２のカートリッジが第２のカートリッジドライブに完全に挿入されることを可能にする第２の窪みパターンを含む。１つの実施例では、第１の突起パターンは、第２のカートリッジが第１のカートリッジドライブに完全に挿入されることを妨げ得る。さらに、第２の突起パターンは、第１のカートリッジおよび第２のカートリッジが第２のカートリッジドライブに完全に挿入されることを可能にし得る。この設計により、より新しいカートリッジドライブは、より新しいカートリッジに加えて、より古い世代のカートリッジとも下位互換となり得る。
【０００８】
　代替的な実施例では、第１の突起パターンは、第１の突起部の長さを有する第１の突起部を含み、第２の突起パターンは、第１の突起部の長さよりも短い第２の突起部の長さを有する第２の突起部を含む。
【０００９】
　カートリッジは、カートリッジ後壁と、カートリッジ後壁と実質的に垂直な複数のカートリッジ側壁とを有するカートリッジハウジングを含む。代替的な実施例では、窪みパターンは、１つ以上のカートリッジ側壁および／またはカートリッジ後壁に沿って位置付けられる。特定の実施例では、カートリッジは各々、ハウジングの内側を規定するカートリッジハウジングを含み、窪みパターンのうちの少なくとも１つは、対応するカートリッジのカートリッジの内側へのアクセスを許容しない。
【００１０】
　この発明はまた、カートリッジと、カートリッジドライブと、非互換のカートリッジがカートリッジドライブに挿入されることを妨げるための方法とに関する。
【００１１】
　この発明の新規の特徴およびこの発明自体は、その構造とその動作との両方の点に関して、以下の説明とともに参照されると、同じ参照番号が同様の部分を指す添付の図から最もよく理解されるであろう。
【発明を実施するための最良の形態】
【００１２】
　図１は、この発明の特徴を持ったカートリッジドライブ１２およびカートリッジ１４を含むデータ記憶システム１０を例示する。カートリッジドライブ１２は、ドライブハウジング１６およびカートリッジレシーバ１８を含む。図１に例示されるドライブハウジング１６は、ドライブベース２０、複数のドライブ側壁２２、およびカバー（簡略化のために図示せず）を含む。カートリッジレシーバ１８は、一般に、矩形であり、カートリッジ１４のうちの１つを完全に受入れるような大きさにされる。この実施例では、カートリッジレシーバ１８は、レシーバの内側領域２４、レシーバベース２６、レシーバ後部２７、および２つのレシーバ壁２８を含む。
【００１３】
　図１に例示される実施例では、カートリッジドライブ１２は、レシーバ壁２８のうちの１つから延びる（部分的に想像線で示される）１つ以上の立てられた突起部３０も含む。代替的な実施例では、突起部３０は、レシーバベース２６またはカートリッジドライブ１２の別の部分から延びてもよい。突起部３０は、突起パターン３２を形成する。突起パターン３２に応じて、突起部３０は、カートリッジ１４がカートリッジレシーバ１８に完全に挿入されることを可能にし得る。代替的には、突起部３０は、完全な挿入の前にカートリッジ１４の一部に接触してカートリッジ１４がカートリッジレシーバ１８内を進むことを妨害することによって、カートリッジ１４がカートリッジレシーバ１８に完全に挿入されることを妨げることもできる。ここで用いられるように、カートリッジレシーバ１８に完全に挿入され得るカートリッジ１４は、「互換性のある」カートリッジとも呼ばれ、一方、突起部３０によって妨げられるカートリッジ１４は、「非互換の」カートリッジとも呼ばれ得る。図１に例示されるように、各カートリッジ１４は、１つ以上の窪み３６（１つの窪み３６は想像線で例示されている）を有するカートリッジハウジング３４と、典型的には磁気記憶テープ４０を保持するリール３８とを含む。
【００１４】
　図２Ａは、カートリッジレシーバ１８Ａを含むカートリッジドライブ１２Ａの一部の第１の実施例を例示する。図２Ａに例示されるカートリッジドライブ１２Ａは、カートリッジドライブファミリー内の１つのカートリッジドライブ１２Ａであり得る。簡略化のために、図２Ａには、１つのレシーバ壁２８Ａしか例示されない。この実施例では、突起パターン３２Ａは１つの突起部３０Ａを含み、これは、実質的に「Ｆ」形状であり、レシーバ壁２８Ａからカートリッジレシーバ１８Ａのレシーバ内側領域２４に向かって飛出す。図２Ａに例示される実施例では、突起部３０Ａは、レシーバ後部２７Ａ付近に位置付けられる。しかし、突起部は、カートリッジドライブ１２Ａの他の場所に位置付けられてもよい。この突起部３０Ａは、支持部４２Ａおよびキーセクション４４Ａを含む。支持部４２Ａの長さ、位置、および全体的なジオメトリは、変化し得る。この実施例では、支持部４２Ａの形状は実質的に矩形であり、支持部４２Ａは、レシーバ壁２８Ａに対してほぼ垂直である。しかし、支持部４２Ａは、三角形、円形、楕円、または他のいずれかの好適な形状であり得る。さらに、支持部４２Ａは、レシーバ壁２８Ａに対して垂直ではない角度でカートリッジレシーバ１８Ａから飛び出してもよく、または、支持部４２Ａは、レシーバベース２６Ａから飛び出してもよい。
【００１５】
　キーセクション４４Ａのサイズ、位置、および全体的なジオメトリは、カートリッジドライブ１２Ａおよび（図１に例示される）カートリッジ１４の設計要件に適合するように変えられ得る。この実施例では、キーセクション４４Ａは、２つのキー領域４６Ａを含む。図２Ａ内の各キー領域４６Ａは、実質的に矩形形状の断面を有する。代替的な実施例では、各キー領域４６Ａは、異なる形状の断面を有し得る。たとえば、各キー領域４６Ａの断面は、三角形、半円、楕円、または他のいずれかの好適な形状であり得る。図２Ａに例示されるように、キーセクション４４Ａは、（図１に例示される）カートリッジ１４の挿入方向と平行な方向に、支持部４２Ａから実質的に垂直に延び得る。
【００１６】
　図２Ｂから図２Ｄは、カートリッジドライブファミリーの一部であり得る追加のカート
リッジドライブ１２Ｂ−１２Ｄをまとめて例示する。より具体的には、図２Ｂは、カートリッジドライブ１２Ｂの一部の別の実施例の斜視図であり、これは、支持部４２Ｂを含む突起部３０Ｂと、キー領域４６Ｂを含むキーセクションとを有する突起パターン３２Ｂを含む。この実施例の多くの特徴は、図２Ａに例示されるカートリッジドライブ１２と実質的に同様である。しかし、図２Ｂでは、突起部３０Ｂは、実質的に「Ｌ」形状であり、カートリッジレシーバ１８Ｂのレシーバ壁２８Ｂから飛び出す。図２Ｂに例示されるように、突起部３０Ｂは、レシーバ壁２８Ｂから、レシーバ壁２８Ｂに最も近いキー領域４６Ｂの部分までの間で測定される突起部の長さ７０Ｂを有する。
【００１７】
　図２Ｃは、カートリッジドライブ１２Ｃの一部を例示し、これは、支持部４２Ｃを有する突起部３０Ｃと、キー領域４６Ｃを含むキーセクション４４Ｃとを含む突起パターン３２Ｃを含む。突起部３０Ｃは、図２Ｂに例示される突起部３０Ｂの突起部の長さ７０Ｂよりも大きな突起部の長さ７０Ｃを有する。言換えると、突起部３０Ｃのキー領域４６Ｃは、（図２Ｂに例示される）突起部３０Ｂのキー領域４６Ｂと比較して、レシーバ壁２８Ｃからより離れて位置付けられる。
【００１８】
　図２Ｄは、カートリッジドライブ１２Ｄの一部を例示し、これは、支持部４２Ｄを含む突起部３０Ｄと、キー領域４６Ｄを有するキーセクション４４Ｄとを有する突起パターン３２Ｄを含む。突起部３０Ｄは、それぞれ図２Ｂおよび図２Ｃに例示された突起部３０Ｂおよび３０Ｃの突起部の長さ７０Ｂおよび７０Ｃよりも大きな突起部の長さ７０Ｄを有する。言換えると、突起部３０Ｄのキー領域４６Ｄは、（それぞれ図２Ｂおよび図２Ｃに例示された）突起部３０Ｂおよび３０Ｃのキー領域４６Ｂおよび４６Ｃと比較して、レシーバ壁２８Ｄからより離れて位置付けられる。
【００１９】
　代替的な実施例（図示せず）では、突起パターンは、実質的に「Ｅ」の形状である。言換えると、キーセクションは、支持部から飛び出る３つのキー領域を含み得る。さらなる実施例（図示せず）では、突起パターンは、支持部から飛び出る３つよりも多くのキー領域を有し得る。キー領域は、支持部に沿って、均一に間隔をあけられていてもよく、またはランダムに間隔をあけられていてもよい。キーセクション内の各キー領域は、実質的に同様の形状にされていてもよく、または異なる形状を有してもよい。さらに、キー領域は、支持部と一体成形され得るか、またはキー領域は、別個に形成され、支持部に固定され得る。
【００２０】
　別の実施例（図示せず）では、突起部は支持部を省き得る。この実施例では、各キーセクションは、レシーバ壁のうちの１つまたはレシーバベース等のカートリッジレシーバに直接固定されるか、またはカートリッジドライブの他の構成要素に固定される。たとえば、突起パターンは、支持部を用いることなく各々が独立してカートリッジレシーバに固定される１つ以上の突起部を含み得る。
【００２１】
　さらなる別の実施例（図示せず）では、突起部は、キーセクションを省き得る。この実施例では、突起部は支持部しか含まず、これが、カートリッジレシーバまたはレシーバベースから飛び出ることとなり得る。この実施例の支持部は、互換性のあるカートリッジの窪みに嵌まるか、または非互換のカートリッジがカートリッジレシーバに完全に挿入されることを妨げるキーとして働く。
【００２２】
　上述の突起部３０は、限定的ではない例として、アルミニウムまたは他の金属、プラスチック、エポキシ樹脂またはセラミック等の十分に剛性のある、および／または耐久性のあるさまざまな材料から形成され得る。
【００２３】
　図３Ａおよび図３Ｂは、図２Ａに例示されたカートリッジドライブ１２Ａと適合する互
換方式を有するカートリッジ１４Ａを例示する。たとえば、図３Ａのカートリッジ１４Ａは、カートリッジの内側４８を規定する実質的に矩形のカートリッジハウジング３４を含む。カートリッジハウジング３４は、ともに取付けられる第１のカートリッジ部５０と第２のカートリッジ部５２とを含む。図３Ａに例示される実施例では、カートリッジハウジング３４は、４つのカートリッジ側壁５８（２つのカートリッジ側壁５８のみが図示される）と、カートリッジ後壁６０と、カートリッジ後壁６０と対向するカートリッジ前壁（図示せず）とを含む。カートリッジ後壁６０は、カートリッジ１４Ａをカートリッジドライブ１２に挿入したときに、（図３Ａに例示されるような）開き位置に移動する回動扉５４を含む。カートリッジ１４Ａの記憶中は、回動扉５４がカートリッジ後壁６０の残りの部分と実質的に面一となるように、回動扉５４は閉じられた位置にとどまる。
【００２４】
　さらに、カートリッジハウジング３４は、窪みパターン６２を形成する１つ以上の窪み３６を含む。窪みパターン６２は、（ｉ）カートリッジドライブ１２の突起パターン３２を受入れるか（互換性のあるカートリッジを示す）、または（ii）カートリッジドライブ１２の突起パターン３２を受入れない（非互換のカートリッジを示す）かのいずれかである。言換えると、互換性のあるカートリッジは、カートリッジドライブ１２の突起パターン３２によって妨げられず、したがって、完全な挿入が行われ得る。対照的に、カートリッジドライブ１２に対してより新しい世代のカートリッジ１４は、カートリッジ１４およびカートリッジドライブ１２の設計に応じて、カートリッジドライブ１２と機能的に互換性がある場合もあり、またはない場合もある。この場合、カートリッジドライブ１２の突起パターン３２が、カートリッジ後壁６０および／またはカートリッジハウジング３４の別の部分に接触して、非互換のカートリッジがカートリッジドライブ１２に完全に挿入されることを妨げる。この設計により、カートリッジ１４および／またはカートリッジドライブ１２に対する損傷は、回避されるか、または完全に防がれる。
【００２５】
　カートリッジ１４Ａの窪みパターン６２の設計は、特定のカートリッジドライブ１２との互換性のための設計要件に適合するように変化し得る。窪みパターン６２を形成する１つ以上の窪み３６は、カートリッジ部５０および５２のうちの１つまたは両方において形成され得る。図３Ａでは、窪み３６は、カートリッジハウジング３４の第２のカートリッジ部５２内の矩形形状の凹みである。代替的には、各窪み３６は、三角形、半円、楔形状、または円筒形状の断面を有し得るか、または、窪み３６がカートリッジハウジング３４の内側に向って凹んでいる限りは、好適な他のいずれのジオメトリで構成されてもよい。
【００２６】
　窪みパターン６２は、図３Ａに例示されるように、カートリッジ後壁６０内で少なくとも部分的に形成され得る。この実施例では、各窪み３６は、カートリッジ後壁６０と、カートリッジ側壁５８のうちの１つとの両方に沿って位置付けられる。各窪み３６は、代替的に他の好適な場所に位置付けられてもよい。たとえば、窪み３６は、限定的ではない例として、カートリッジ後壁６０と、カートリッジ側壁５８のうちの２つとに沿って、またはカートリッジ後壁６０のみに沿って、位置付けられ得る。
【００２７】
　さらに、この実施例では、窪みパターン６２は、カートリッジの内側４８へのアクセスを提供しない。言換えると、窪みパターン６２は、カートリッジの内側４８の入口または出口のための経路を提供しない。むしろ、窪み３６は、カートリッジハウジング３４の材料を貫通せずに、カートリッジハウジング３４内に凹みを形成する。代替的な実施例（図示せず）では、窪み３６は、カートリッジの内側４８につながるアパチャであり得る。
【００２８】
　図３Ｂは、４つのカートリッジ側壁５８を含む、図３Ａに例示されるカートリッジ１４Ａの端面図である。この実施例では、窪みパターン６２は、第１の窪み３６Ａおよび第２の窪み３６Ｂを含む。窪みパターン６２は、カートリッジ１４Ａが少なくとも４つの世代のカートリッジドライブ１２（１つの例が図２Ａに例示される）と互換性を持つことを可
能にする。たとえば、カートリッジ１４Ａは、第１の窪み３６Ａとインターフェイスをとるように位置付けられた突起部３０を有する第１の世代のカートリッジドライブ１２と、第２の窪み３６Ｂとインターフェイスをとるように位置付けられた突起部３０を有する第２の世代のカートリッジドライブと、（図２Ａに例示されたカートリッジドライブ１２と同様である、）第１の窪み３６Ａおよび第２の窪み３６Ｂとインターフェイスをとるように位置付けられた突起パターン３２を有する第３の世代のカートリッジドライブ１２と、突起部を有さない第４の世代のカートリッジドライブ１２と互換性があり得る。各窪み３６の潜在的な位置の多様性のために、各々が新しい世代のカートリッジ１４を表わす多くの窪みパターン６２が用いられ得る。ここで提供される互換方式によって、文字通りいくつもの世代のカートリッジドライブ１２およびカートリッジ１４が、容易かつ経済的に制御され得る互換性を有することが可能になり得る。
【００２９】
　図３Ｃから図３Ｅは、（上で図２Ｂから図２Ｄに関して説明された）カートリッジドライブ１２Ｂ−１２Ｄと適合する互換方式を有するカートリッジファミリー１４Ｃ−１４Ｅの例をまとめて例示する。窪みパターン６２Ｃ−６２Ｅの位置および構成は、１つの世代のカートリッジドライブ１２のみと互換性がある異なる世代のカートリッジ１４Ｃ−１４Ｅを示し得る。たとえば、図３Ｃから図３Ｅは、３つの世代の互換方式を例示する。重要なことには、この発明に従ったいずれかの互換方式は、３つの世代よりも多くの世代またはより少ない世代を含み得る。
【００３０】
　図３Ｃに例示される実施例では、窪みパターン６２Ｃは、カートリッジ後壁６０に沿って、カートリッジ側壁５８のうちの１つから第１の水平距離６４を取ったところに位置付けられ、これによって、第１の世代のカートリッジ１４が表わされ得る。この第１の世代のカートリッジ１４は、図２Ｂに例示されるカートリッジドライブ１２と互換性がある。なぜならば、突起部の長さ７０Ｂ、したがって、突起部３０Ｂのキー領域４６Ｂの位置が、窪みパターン６２Ｃの位置と整合するためである。
【００３１】
　これとある程度同様に、窪みパターン６２Ｄが、カートリッジ後壁６０に沿ってカートリッジ側壁５８から（図３Ｄに例示される）第２の水平距離６６を取ったところに位置付けられる場合、この位置が、第２の世代のカートリッジ１４Ｄを表わし得る。この第２の世代のカートリッジ１４Ｄは、図２Ｃに例示されるカートリッジドライブ１２Ｃと互換性がある。なぜならば、突起部３０Ｃは窪みパターン６２Ｄと整合するためである。対照的に、図３Ｄに例示されるような第２の世代のカートリッジ１４Ｄは、図３Ｃに例示されるような第１の世代のカートリッジ１４Ｃを受けるように位置付けられた突起パターン３２Ｂを有する（たとえば、図２Ｂに例示される）第１の世代のカートリッジドライブ１２Ｂとは互換性がないであろう。代わりに、第２の世代のカートリッジ１４Ｄを第１の世代のカートリッジドライブ１２Ｂに完全に挿入するという試みによって結果として、突起部３０Ｂがカートリッジ１４Ｄのカートリッジ後壁６０に接触して、カートリッジ１４Ｄがカートリッジドライブ１２Ｂに完全に挿入されることが妨げられることになるであろう。この設計では、カートリッジ１４Ｄとカートリッジドライブ１２Ｂとの非互換性によって結果として、カートリッジ１４Ｄまたはカートリッジドライブ１２Ｂの構成要素が損傷することはない。
【００３２】
　図３Ｅは、第３の世代のカートリッジ１４Ｅの一例を示す。この例では、窪みパターン６２Ｅは、カートリッジ後壁６０に沿って、カートリッジ側壁５８から第３の水平距離６８を取ったところに位置付けられる。図３Ｅに例示されるカートリッジ１４Ｅは、図３Ｃおよび図３Ｄにそれぞれ例示されるような第１の世代のカートリッジ１４Ｃまたは第２の世代のカートリッジ１４Ｄに挿入されるように設計された突起パターン３２Ｂおよび３２Ｃを有する、図２Ｂまたは図２Ｃに例示されるカートリッジドライブ１２Ｂおよび１２Ｃとの互換性はないであろう。
【００３３】
　代替的には、窪みパターン６２は、１つ以上のカートリッジ側壁５８またはカートリッジ後壁６０に沿ってさまざまな垂直方向の場所に位置付けられてさまざまな世代のカートリッジ１２を区別してもよい。さらに代替的には、窪みパターン６２は、水平方向と垂直方向との両方に位置付けられる窪み３６を用いてさまざまな世代のカートリッジ１４を区別することもできる。
【００３４】
　図４Ａから図４Ｃは、別のカートリッジドライブファミリー４１２Ａ−４１２Ｃをまとめて例示する。図４Ａは、レシーバ壁４２８のうちの１つに直接固定されるキーセクション４４４Ａを有する突起部４３０Ａを含む第１の世代のカートリッジドライブ４１２Ａの一例である。図４Ａに例示される突起部４３０Ａは、実質的に矩形形状の断面を有する。しかし、上述のように、他の形状も用いられ得る。
【００３５】
　図４Ａの突起部４３０Ａは、突起部の長さ４７０Ａを有する。図４Ａから図４Ｃに例示されるカートリッジドライブ４１２Ａ−４１２Ｃの互換方式は、１つの世代のカートリッジドライブから次の世代へと必要に応じて突起部の長さを変えることを含む。このような互換方式の一例は、後続の世代のカートリッジドライブの１つ１つごとに突起部の長さ４７０を短くすることである。
【００３６】
　図４Ｂは、キーセクション４４４Ｂを有する突起部４３０Ｂを備えた第２の世代のカートリッジドライブ４１２Ｂを例示する。突起部４３０Ｂは、図４Ａに例示された突起部４３０Ａの突起部の長さ４７０Ａよりもいくらか短い突起部の長さ４７０Ｂを有する。代替的な実施例では、突起部の長さ４７０Ｂは、突起部の長さ４７０Ａの約２０％、３０％、４０％、５０％、６０％、７０％、８０％、または９０％であり得る。
【００３７】
　さらに、図４Ｃは、キーセクション４４４Ｃを有する突起部４３０Ｃを備えた第３の世代のカートリッジドライブ４１２Ｃを例示する。突起部４３０Ｃは、図４Ｂに例示された突起部４３０Ｂの突起部の長さ４７０Ｂよりもいくらか短い突起部の長さ４７０Ｃを有する。代替的な実施例では、突起部の長さ４７０Ｃは、突起部の長さ４７０Ｂの約２０％、３０％、４０％、５０％、６０％、７０％、８０％、または９０％であり得る。この設計により、第１の世代のカートリッジドライブ４１２Ａと互換性がある（たとえば、図５Ａに例示される）カートリッジ４１４Ａは、引続き、後続の世代のカートリッジドライブ４１２Ｂおよび４１２Ｃと互換性を持つ。しかし、必要であれば、より古い世代のカートリッジドライブと互換性があるか、または非互換であるより新しいカートリッジ４１４が製造され得る。
【００３８】
　図５Ａから図５Ｅは、（上で図４Ａから図４Ｃに関して説明された）カートリッジドライブ４１２Ａ−４１２Ｃと適合する互換方式を有するカートリッジ４１４Ａ、４１４Ｃ、４１４Ｄ、および４１４Ｅの例を示す。たとえば、図５Ａのカートリッジ４１４Ａは、窪みの長さ４７２Ａを有する窪み４３６Ａを含むカートリッジ４１４Ａの実施例を例示する。窪みの長さ４７２Ａは、ある特定の世代のカートリッジドライブ４１２の突起部を受入れるように、または受入れないように設計される。したがって、互換性のあるカートリッジは、カートリッジドライブ４１２の突起部によって妨害されることはなく、したがって、完全な挿入が行われ得る。これに反して、カートリッジドライブ４１２に対してより新しい世代のカートリッジ４１４Ａは、カートリッジ４１４Ａおよびカートリッジドライブ４１２の設計に応じて、カートリッジドライブ４１２と互換性がある場合もあり、または互換性がない場合もある。この場合、突起部の長さ４７０Ａは、窪みの長さ４７２Ａよりも大きくなり得る。したがって、突起部４３０Ａは、カートリッジ後壁４６０Ａおよび／またはカートリッジハウジング４３４Ａの別の部分に接触して、非互換のカートリッジがカートリッジドライブ４１２に完全に挿入されることを妨げることができる。この設計に
よって、カートリッジ４１４Ａおよび／またはカートリッジドライブ４１２が損傷する可能性が少なくなる。
【００３９】
　図５Ａでは、窪み４３６Ａは、カートリッジハウジング４３４Ａの第２のカートリッジ部４５２Ａ内においての矩形形状の凹みである。窪み４３６Ａは、図５Ａに例示されるように、カートリッジ後壁４６０Ａにおいて少なくとも部分的に形成される。この実施例では、各窪み４３６Ａは、カートリッジ後壁４６０Ａと、カートリッジ側壁４５８Ａのうちの２つとの両方に沿って位置付けられる。各窪み４３６Ａは、代替的には、他の好適な場所に位置付けられてもよい。図５Ｂは、図５Ａに例示されたカートリッジ４１４Ａの端面図であり、これは、カートリッジ側壁４５８Ａおよびカートリッジ後壁４６０Ａに対する窪み４３６Ａの位置の一例を示す。
【００４０】
　上述のように、窪みの長さ４７２Ａは、１つの世代のカートリッジドライブ４１２のみと互換性がある異なる世代のカートリッジ４１４Ａを示し得る。たとえば、図５Ｃから図５Ｅは、３つの世代の互換方式を有するカートリッジ４１４Ｃ−４１４Ｅを例示する。図５Ｃに例示される実施例では、窪み４３６Ｃは、第１の世代のカートリッジ４１４Ｃを示し得る第１の窪みの長さ４７２Ｃを有する。第１の世代のカートリッジ４１４Ｃは、図４Ａに例示される第１の世代のカートリッジドライブ４１２Ａと互換性があり得る。
【００４１】
　図５Ｄは、第１の窪みの長さ４７２Ｃよりも短い第２の窪みの長さ４７２Ｄを有する窪み４３６Ｄを備えたカートリッジ４１４Ｄを例示する。代替的な実施例では、第２の窪みの長さ４７２Ｄは、第１の窪みの長さ４７２Ｃの約２０％、３０％、４０％、５０％、６０％、７０％、８０％、または９０％である。この例では、図５Ｄに例示されるような第２の世代のカートリッジ４１４は、図５Ｃに例示されるような第１の世代のカートリッジ４１４Ｃとインターフェイスをとるように位置付けられた突起部４３０Ａを有する（図４Ａに例示される）第１の世代のカートリッジドライブ４１２Ａとは互換性を持たないであろう。代わりに、第２の世代のカートリッジ４１４Ｄを第１の世代のカートリッジドライブ４１２Ａに完全に挿入しようとする試みによって結果として、突起部４３０Ａがカートリッジ後壁４６０Ｄに接触し、カートリッジ４１４Ｄがカートリッジドライブ４１２Ａに完全に挿入されることが妨げられるであろう。
【００４２】
　図５Ｅは、第３の世代のカートリッジ４１４Ｅの一例を示す。この例では、窪み４３６Ｅは、図５Ｃおよび図５Ｄにそれぞれ例示された窪みの長さ４７２Ｃと４７２Ｄとの両方よりも短い第３の窪みの長さ４７２Ｅを有する。代替的な実施例では、第３の窪みの長さ４７２Ｅは、第２の窪みの長さ４７２Ｄの約２０％、３０％、４０％、５０％、６０％、７０％、８０％、または９０％である。図５Ｅに例示されるカートリッジ４１４Ｅは、図５Ｃおよび図５Ｄにそれぞれ例示されるような第１の世代のカートリッジ４１４Ｃまたは第２の世代のカートリッジ４１４Ｄの窪み４３６Ｃおよび４３６Ｄを実質的に充填するように設計された突起部の長さ４７０Ａおよび４７０Ｂを有する突起部４３０Ａおよび４３０Ｂを含む（図４Ａおよび図４Ｂにそれぞれ例示される）カートリッジドライブ４１２Ａおよび４１２Ｂと互換性を持たないであろう。
【００４３】
　この発明によって、新しいカートリッジ１４がテープライブラリシステム内の古いカートリッジドライブ１２に入ってしまうというリスクを伴わずに、より古いカートリッジドライブ１２とより新しいカートリッジドライブ１２との両方から構成されたテープライブラリシステム（図示せず）の設計が可能となる。さらに、テープライブラリシステムは、たとえば、非互換のカートリッジがより古いカートリッジドライブに入ってしまうというリスクを伴うことなく、より古いカートリッジ１４と、この発明の原理を有するより新しいカートリッジ１４との両方を同時に採用することができる。この特徴は、既存のテープライブラリシステムをアップグレードする時、および既存のテープライブラリシステムに
カートリッジドライブ１２およびカートリッジ１４を後付けする時に、特に有利である。
【００４４】
　最小の形状因子修正しか有さず、さらには窪みを含む上述のカートリッジ１４は、より新しいカートリッジ１４がより古いカートリッジドライブに挿入されてしまう可能性がない状態でより古いテープカートリッジが新しいカートリッジドライブ１２内で用いられることを可能にしたいという要求を満たす。したがって、誤ったバックリングによって結果としてリーダのコントロールが効かなくなること(run away)と、誤って上書きまたは消去されるデータとに関連した問題が、減じられるか、または解決される。
【００４５】
　ここで図示され、さらには詳細に開示されたような特定のデータ記憶システム１０、カートリッジドライブ１２、およびカートリッジ１４は、ニーズを十分に満たすことができ、上述の利点を十分に提供することができるが、例示された実施例は、現在好まれているこの発明の実施例を例示したものにすぎず、前掲の請求項で示されるものを除いては、ここで示された構造または設計の詳細に対して限定が意図されているわけではないことが理解されるべきである。
【図面の簡単な説明】
【００４６】
【図１】カートリッジドライブの一部を含むデータ記憶システムの上面図と、この発明の特徴を有するカートリッジの部分的な切開図である。
【図２Ａ】この発明の特徴を有するカートリッジドライブの一部の実施例を示す上面斜視図である。
【図２Ｂ】カートリッジドライブの一部の別の実施例を示す上面斜視図である。
【図２Ｃ】カートリッジドライブの一部のさらなる別の実施例を示す上面斜視図である。
【図２Ｄ】カートリッジドライブの一部のさらなる別の実施例を示す上面斜視図である。
【図３Ａ】この発明の特徴を有するカートリッジの実施例を示す底面斜視図である。
【図３Ｂ】図３Ａに例示されたカートリッジの端面図である。
【図３Ｃ】カートリッジの実施例を示す部分的な側面図である。
【図３Ｄ】カートリッジの別の実施例を示す部分的な側面図である。
【図３Ｅ】カートリッジのさらなる別の実施例を示す部分的な側面図である。
【図４Ａ】この発明の特徴を有するカートリッジドライブの一部の別の実施例を示す上面斜視図である。
【図４Ｂ】カートリッジドライブの一部のさらなる別の実施例を示す上面斜視図である。
【図４Ｃ】カートリッジドライブの一部のさらなる別の実施例を示す上面斜視図である。
【図５Ａ】この発明の特徴を有するカートリッジの別の実施例の底面斜視図である。
【図５Ｂ】図５Ａに例示されたカートリッジの端面図である。
【図５Ｃ】カートリッジの実施例の部分的な側面図である。
【図５Ｄ】カートリッジの別の実施例の部分的な側面図である。
【図５Ｅ】カートリッジのさらなる別の実施例の部分的な側面図である。
【符号の説明】
【００４７】
　１２　カートリッジドライブ、１４　カートリッジ、１８　カートリッジレシーバ、３２　突起パターン、３４　カートリッジハウジング、４８　カートリッジの内側、５４　回動扉、６０　カートリッジ後壁、６２　窪みパターン、７０、４７０　突起部の長さ、４７２　窪みの長さ。
【図１】
2004087105.tif 000003
【図２Ａ】
2004087105.tif 000004
【図２Ｂ】
2004087105.tif 000005
【図２Ｃ】
2004087105.tif 000006
【図２Ｄ】
2004087105.tif 000007
【図３Ａ】
2004087105.tif 000008
【図３Ｂ】
2004087105.tif 000009
【図３Ｃ】
2004087105.tif 000010
【図３Ｄ】
2004087105.tif 000011
【図３Ｅ】
2004087105.tif 000012
【図４Ａ】
2004087105.tif 000013
【図４Ｂ】
2004087105.tif 000014
【図４Ｃ】
2004087105.tif 000015
【図５Ａ】
2004087105.tif 000016
【図５Ｂ】
2004087105.tif 000017
【図５Ｃ】
2004087105.tif 000018
【図５Ｄ】
2004087105.tif 000019
【図５Ｅ】
2004087105.tif 000020
【手続補正書】
【提出日】平成15年10月23日(2003.10.23)
【手続補正１】
【補正対象書類名】図面
【補正対象項目名】全図
【補正方法】変更
【補正の内容】
【図１】
2004087105.tif 000021
【図２Ａ】
2004087105.tif 000022
【図２Ｂ】
2004087105.tif 000023
【図２Ｃ】
2004087105.tif 000024
【図２Ｄ】
2004087105.tif 000025
【図３Ａ】
2004087105.tif 000026
【図３Ｂ】
2004087105.tif 000027
【図３Ｃ】
2004087105.tif 000028
【図３Ｄ】
2004087105.tif 000029
【図３Ｅ】
2004087105.tif 000030
【図４Ａ】
2004087105.tif 000031
【図４Ｂ】
2004087105.tif 000032
【図４Ｃ】
2004087105.tif 000033
【図５Ａ】
2004087105.tif 000034
【図５Ｂ】
2004087105.tif 000035
【図５Ｃ】
2004087105.tif 000036
【図５Ｄ】
2004087105.tif 000037
【図５Ｅ】
2004087105.tif 000038